(57)【要約】【課題】差動信号ペアの間のクロストークを削減するための装置及び方法を提供する。【解決手段】一般にここで論じられるのは、差動信号ペアにおけるクロストークを削減することに関係するシステム、装置、及び方法である。一例によれば、装置は、第１の信号線、及び第１の信号線に隣接する第２の信号線を含むとともに、第１の信号線及び第２の信号線が、第１の線に沿って相互から分離される第１の差動信号線のペアと、第４の信号線に隣接する第３の信号線を含むとともに、第３の信号線及び第４の信号線が、第１の線に概して垂直である第２の線に沿って相互から分離される第２の差動信号線のペアとを含み得る。【選択図】図２
2016115928.tif 000002
【特許請求の範囲】
【請求項１】
第１の信号線、及び前記第１の信号線に隣接する第２の信号線を含むとともに、前記第１の信号線及び前記第２の信号線が、第１の線に沿って相互から分離される第１の差動信号線のペアと、
第４の信号線に隣接する第３の信号線を含むとともに、前記第３の信号線及び前記第４の信号線が、前記第１の線に概して垂直である第２の線に沿って相互から分離される第２の差動信号線のペアとを備える、装置。
【請求項２】
前記第１の線が、前記第１の信号線と前記第２の信号線の重心をつなぐとともに、前記第３の信号線と前記第４の信号線との間で前記第２の線を横切る、請求項１に記載の装置。
【請求項３】
第６の信号線に隣接する第５の信号線を含むとともに、前記第５の信号線及び前記第６の信号線が、前記第１の線に概して平行であるとともに前記第２の線に概して垂直である第３の線に沿って相互から分離される第３の差動信号線のペアを更に備える、請求項１に記載の装置。
【請求項４】
前記第２の線が、前記第３の信号線と前記第４の信号線の重心をつなぐとともに、前記第５の信号線と前記第６の信号線との間で前記第３の線を横切る、請求項３に記載の装置。
【請求項５】
第８の信号線に隣接する第７の信号線を含むとともに、前記第７の信号線及び前記第８の信号線が、前記第１の線に概して垂直であり、前記第２の線に概して平行であるとともに、前記第３の線に概して垂直である第４の線に沿って相互から分離される第４の差動信号線のペアを更に備える、請求項３に記載の装置。
【請求項６】
前記第４の線が、前記第７の信号線と前記第８の信号線の重心をつなぐとともに、前記第１の信号線と前記第２の信号線との間で前記第１の線を横切る、請求項５に記載の装置。
【請求項７】
前記第１の差動信号線のペア、前記第２の差動信号線のペア、前記第３の差動信号線のペア、及び前記第４の差動信号線のペアの間の領域に位置付けられる１つ又は複数のグランド信号線を更に備える、請求項１に記載の装置。
【請求項８】
当該装置がメモリ装置を含む、請求項１に記載の装置。
【請求項９】
前記第１の差動信号線のペアと前記第２の差動信号線のペアが、ボールグリッドアレイ（ＢＧＡ）のピン配列パターンで形成される、請求項１に記載の装置。
【請求項１０】
前記第１の信号線に電気的に結合される第５の信号線、及び前記第２の信号線に電気的に結合される第６の信号線を含むとともに、前記第５の信号線及び前記第６の信号線が、前記第１の線に平行である線に沿って相互から分離される第３の差動信号線のペアを更に備える、請求項１又は請求項２のいずれか一項に記載の装置。
【請求項１１】
前記第１の差動信号線のペアが、第１及び第２のビアである、請求項１から請求項９のいずれか一項に記載の装置。
【請求項１２】
前記第１の差動信号線のペアが、第１及び第２のはんだパッドである、請求項１から請求項９のいずれか一項に記載の装置。
【請求項１３】
第１の複数の差動信号はんだパッドのペアであって、前記第１の複数の差動信号はんだパッドのうちの各差動信号はんだパッドのペアが第１のパッドと第２のパッドの重心をつなぐそれぞれの線に沿って前記第２のパッドから分離される前記第１のパッドを含み、前記第１の複数の差動信号はんだパッドのペアの前記線が概して相互に平行である、前記第１の複数の差動信号はんだパッドのペアと、
第２の複数の差動信号はんだパッドのペアであって、前記第２の複数の差動信号はんだパッドのうちの各差動信号はんだパッドのペアがそれぞれの第３のはんだパッドと第４のはんだパッドの重心をつなぐそれぞれの線に沿って第４のパッドから分離される第３のパッドを含み、前記第２の複数の差動信号はんだパッドのペアの前記線が、概して相互に平行であるとともに、前記第１の複数の差動信号はんだパッドのペアの前記線に概して垂直である、前記第２の複数の差動信号はんだパッドのペアとを備える、プリント回路基板（ＰＣＢ）。
【請求項１４】
第１の複数の差動信号ビアのペアであって、前記第１の複数の差動信号ビアのうちの各差動信号ビアのペアが、前記第１の複数の差動信号はんだパッドのペアのそれぞれの第１のパッドに電気的に連結される第１のビアと、前記第１の複数の差動信号はんだパッドのペアのそれぞれの第２のパッドに電気的に連結される第２のビアとを含み、前記第１のビアが前記第１のビアと前記第２のビアの重心をつなぐそれぞれの線に沿って前記第２のビアから分離され、前記第１の複数の差動信号ビアのペアの前記線が、概して、相互に平行であるとともに、前記第１の複数の差動信号はんだパッドのペアの前記線に平行である、前記第１の複数の差動信号ビアのペアを更に備える、請求項１３に記載のＰＣＢ。
【請求項１５】
第２の複数の差動信号ビアのペアであって、前記第２の複数の差動信号ビアのうちの各差動信号ビアのペアが、前記第２の複数の差動信号はんだパッドのペアのそれぞれの第３のパッドに電気的に連結される第３のビアと、前記第２の複数の差動信号はんだパッドのペアのそれぞれの第４のパッドに電気的に連結される第４のビアとを含み、前記第３のビアが前記第３のビアと前記第４のビアの重心をつなぐそれぞれの線に沿って前記第４のビアから分離され、前記第２の複数の差動信号ビアのペアの前記線が、概して、相互に平行であり、前記第２の複数の差動信号はんだパッドのペアの前記線に平行であるとともに、前記第１の複数の差動信号はんだパッドのペアの前記線に垂直である、前記第２の複数の差動信号ビアのペアを更に備える、請求項１４に記載のＰＣＢ。
【請求項１６】
前記第１の複数の差動信号はんだパッドのペアが当該ＰＣＢの第１の層上にあり、当該ＰＣＢがグランドプレーンを含む第２の層を含む、請求項１３から請求項１５のいずれか一項に記載のＰＣＢ。
【請求項１７】
第１のはんだパッド、及び前記第１のはんだパッドに隣接する第２のはんだパッドを含むとともに、前記第１のはんだパッド及び前記第２のはんだパッドが、第１の線に沿って相互から分離される第１の差動信号はんだパッドのペアと、第４のはんだパッドに隣接する第３のはんだパッドを含むとともに、前記第３のはんだパッド及び前記第４のはんだパッドが、前記第１の線に概して垂直である第２の線に沿って相互から分離される第２の差動信号はんだパッドのペアとを含むプリント回路基板（ＰＣＢ）と、
前記第１の差動信号はんだパッドのペア及び前記第２の差動信号はんだパッドのペアに電気的に接続される差動信号のピン配列を含むパッケージとを含む、システム。
【請求項１８】
前記ＰＣＢが、第６のはんだパッドに隣接する第５のはんだパッドを含むとともに、前記第５のはんだパッド及び前記第６のはんだパッドが、前記第１の線に概して平行であるとともに前記第２の線に概して垂直である第３の線に沿って相互から分離される第３の差動信号はんだパッドのペアを更に含み、
前記パッケージの前記ピン配列が、前記第３の差動信号はんだパッドのペアに電気的に接続されている、請求項１７に記載のシステム。
【請求項１９】
前記ＰＣＢが、第８のはんだパッドに隣接する第７のはんだパッドを含むとともに、前記第７のはんだパッド及び前記第８のはんだパッドが、前記第１の線に概して垂直であり、前記第２の線に概して平行であるとともに、前記第３の線に概して垂直である第４の線に沿って相互から分離される第４の差動信号はんだパッドのペアを更に含み、
前記パッケージの前記ピン配列が、前記第３の差動信号はんだパッドのペアに電気的に接続されている、請求項１８に記載のシステム。
【請求項２０】
前記ＰＣＢが、第１のビア及び第２のビアを含むとともに、前記第１のビア及び前記第２のビアが前記第１の線に平行である線に沿って相互から分離され、前記第１のビアが前記第１のはんだパッドに電気的に連結され、前記第２のビアが前記第２のはんだパッドに電気的に連結される、差動信号ビアのペアを更に含む、請求項１７から請求項１９のいずれか一項に記載のシステム。
【発明の詳細な説明】
【技術分野】
【０００１】
この開示における実施例は、一般に、差動信号ペアの間のクロストークを削減するための装置及び方法に関する。
【背景技術】
【０００２】
ダイにおける、そしてプリント回路基板（ＰＣＢ）における経路決定は、非常に複雑になり得る。経路決定において遭遇した困難性は、とりわけ、異なる機能ブロックが異なる周波数で動作する回路又はダイの機能ブロックを管理すること、高周波数信号の劣化のようなクロストーク、信号劣化を生成すること、及び高感度の信号を安定させることを助けるのに十分なグランドプレーン（plane：面）を提供することを含む。回路動作におけるエラーの原因となるかもしれない問題は、差動信号ペアの間のクロストークを含む。電気及び電子コンポーネントが信号におけるより細かい差異を解決することができる状態になるように、ダイ又はＰＣＢにおける信号線の間のクロストークを削減することは、更に重要になるかもしれない。
【０００３】
一定の比率で必ずしも描かれるとは限らない図面において、同等の参照番号は、異なる図において同様の構成要素を表現し得る。異なる文字の添え字を有する同等の参照番号は、同様の構成要素の異なる事例を表し得る。図面は、一般に、一例として、しかし限定としてではなく、本文献で論じられるさまざまな実施例を例示する。
【図面の簡単な説明】
【０００４】
【図１Ａ】一例としてコンポーネントレイアウトの構成図を例示する。
【図１Ｂ】コンポーネントレイアウトの一実施例の構成図の別の実例を例示する。
【図２】一例としてコンポーネントレイアウトの一実施例の透視図を例示する。
【図３】一例としてコンポーネントレイアウトの別の実施例の透視図を例示する。
【図４】一例としてコンポーネントレイアウトの別の実施例の透視図を例示する。
【図５】一例としてコンポーネントレイアウトの別の実施例の透視図を例示する。
【図６】一例として様々なコンポーネントレイアウトに対する雑音対周波数のグラフを例示する。
【図７】一例として方法の一実施例のフローチャートを例示する。
【発明を実施するための形態】
【０００５】
この開示における実施例は、一般に、差動信号ペアにおけるクロストークを削減することに関連する。この開示に合致している方法、システム、又は装置は、あまたある信号線の中のビア、パッド、又は、ＰＣＢ上の配線若しくはチップ内の配線の間のクロストークを削減することを助け得る。
【０００６】
差動信号ペアに関して、パッケージ又はＰＣＢにおける信号線は、他のすぐ近くの差動信号ペアの信号線のような、パッケージ又はＰＣＢ内の別の信号線から、雑音をピックアップするかもしれない。ＰＣＢは、１つ又は複数の層を含み得る。ＰＣＢの層は、グランド電位の基準電圧プレーン（plane：面）を含み得る。パッケージ又はボードにおける信号に対する周波数の要求が増えているので、差動信号ペアの間のクロストークは、更に大きな問題になるかもしれない。
【０００７】
クロストークは、一般に、１つ又は複数の他の信号線に対する望まれない影響を生成する、１つ又は複数の信号線（例えば、配線、ビア、相互接続、パッド、ピン配列など）上の１つ又は複数の信号である。クロストークは、信号線の間の容量性結合、誘導性結合、又は導電性結合により引き起こされ得る。クロストークは、１つの信号線に存在する周波数として現れるかもしれず、その周波数を通常は含まない信号線に現れるとともに、したがって、その信号線における付加誤差を生成する。
【０００８】
差動信号伝達は、２つの信号線上の電圧の間の差異が送信されるべき情報に対応する値を決定する、情報を伝送する方法である。ここで使用されるように、“差動信号線のペア”は、差動信号伝達スキームにおいて使用される信号線を意味する。差動信号伝達を使用して伝送される情報は、他の信号伝達技術よりも、雑音に対して更に抵抗力があり得る。少なくとも部分的に、これは、差動信号線のペアにおける各信号線に対して雑音が等しく影響を及ぼす傾向があるとともに、伝送されるべき情報が２つの信号線の間の電位差であるからである。したがって、もし差動ペアの第１の信号線が電圧ポテンシャルｖを有し、差動ペアの第２の信号線が電圧ポテンシャルｗを有し、そして雑音源が電圧ポテンシャルｘを差動ペアの第１及び第２の信号線に加えるならば、たとえ信号線上の実際のポテンシャルが変わったとしても２つの信号線の間の電位差は変わらない（すなわち、｜ｖ−ｗ｜＝｜（ｖ＋ｘ）−（ｗ＋ｘ）｜）。差動信号伝達は、アナログ信号伝達及びデジタル信号伝達において使用され得る。差動信号伝達はシングルエンド形の信号伝達と区別され、ここで、シングルエンド形の信号伝達は、単一の信号線上の電圧ポテンシャルを使用して情報を伝送する。
【０００９】
差動信号線のペアの間のクロストークを削減することに対する以前の解決法は、各差動信号ペアの周辺にグランド信号線（すなわち、グランド基準ポテンシャルに電気的に連結された信号線）を追加することを含む。そのような解決法は、パッケージ又はボードの全体のサイズを増大させ、それは、製造におけるコストを増大させ得る。以前の解決法は、差動信号ペアの方向性に差動信号ペアを合わせるための柔軟性がほとんどない、一様なパッケージのボールグリッドアレイ（ＢＧＡ）パターンに基づいているかもしれない。以前の解決法は、差動信号線のペアを相互に対して平行に配置し、そして差動信号線のペアの間にグランド信号線を配置することを含み得る。
【００１０】
ここで論じられるのは、差動信号線のペアの周辺又は間にグランド信号線を追加することなくクロストークを削減し得る装置、技術、及びシステムである。ここで論じられた１つ又は複数の実施例は、例えばグランド信号線を追加することなどなしに、別の差動信号線のペアに対して垂直に方向付けられた差動信号線のペアを含み得る。そのような実施例は、パッケージサイズを維持するか又は削減する一方、差動信号ペアの間のクロストークを削減することができる。差動信号ペアの信号線の垂直レイアウトがクロストークを改善する（すなわち、削減する）かどうかを調査するために、シミュレーションが実行され、シミュレーションの結果がここで提示される。
【００１１】
発明者は、差動信号ペアの間のクロストークが、相互と比較した差動信号ペアの方向性により影響を受けると理解した。発明者は、同様に、差動信号線を相互に対して約９０度で配置することにより、差動信号ペアの間のゼロ又はほぼゼロのクロストークが達成され得ると理解した。いくつかのＢＧＡ及び他のパッケージのピン配列技術は、柔軟な差動信号ペアのピン配列パターンを考慮する可変ピッチ又は“あらゆる場所のボール”の使用を可能にする。
【００１２】
図１Ａは、一例としてコンポーネントレイアウト１００Ａの構成図を例示する。コンポーネントレイアウト１００Ａは、ダイ（例えば、パッケージ）、ボード（例えば、ＰＣＢ）、又は、他の電気若しくは電子回路レイアウト媒体のような、媒体１０２Ａを含み得る。媒体１０２Ａは、媒体１０２Ａ上に／内に配置されるべき、導電材料及び／又は記述的材料のサイズ、形状、並びに場所を指定する。レイアウト１００Ａは、ダイ又はボードのような物理的装置に実装され得る。図１Ａで示された実例において、媒体１０２Ａは、第１の差動信号線のペア１０４Ａ及び１０４Ｂ、並びに第２の差動信号線のペア１０８Ａ及び１０８Ｂを含む導電材料レイアウトを含むＰＣＢレイアウトである。記述的材料は、テキスト、アウトライン（outline）、又は他の材料を含み得る。とりわけ、記述的材料は、コンポーネント、レイアウト選択、アセンブリ命令を説明するのに役立ち得るか、又は差動信号ペアを指定するのに役立ち得る。例示された実施例１００Ａにおいて、記述的材料は、線１０４Ａ及び１０４Ｂが差動信号ペアであることを示すアウトライン１０６、並びに線１０８Ａ及び１０８Ｂが差動信号ペアであることを示すアウトライン１１０を含む。線１１２Ａ及び１１２Ｂは、グランド信号線（すなわち、例えばグランドプレーン又は他の基準ポテンシャル接続などを通してグランドとして指定された基準ポテンシャルに電気的に接続される線）である。
【００１３】
コンポーネントレイアウト１００Ａは、概して相互に平行に方向付けられた２つの差動信号ペア（すなわち、線１０４Ａ−Ｂを含む第１の差動信号ペア、及び線１０８Ａ−Ｂを含む第２の差動信号ペア）を含む。ここで使用されるように、第２の差動ペアに平行に方向付けられる第１の差動信号ペアは、第１の差動信号ペアの信号線の重心をつなぐ直線が第２の差動信号ペアの信号線の重心をつなぐ直線に概して平行であることを意味する。ここで使用されるように、第２の差動ペアに垂直に方向付けられる第１の差動信号ペアは、第１の差動信号ペアの信号線の重心をつなぐ直線が第２の差動信号ペアの信号線の重心をつなぐ直線に概して垂直であることを意味する。“概して平行である”、及び“概して垂直である”は、それぞれ、数度以内で平行であること、及び数度以内で垂直であることを意味する。第１の差動信号ペア及び第２の差動信号ペアの重心をつなぐ線１１４及び１１６は、概して相互に平行である。
【００１４】
図１Ｂは、コンポーネントレイアウト１００Ｂの一実施例の構成図の別の実例を例示する。コンポーネントレイアウト１００Ｂは、コンポーネントレイアウト１００Ａと同様であり、レイアウト１００Ｂは、媒体１０２Ｂ、並びに、第１の差動信号線のペア１０４Ａ−Ｂと第２の差動信号線のペア１０８Ａ−Ｂとの間のグランド信号線１１２Ａ及び１１２Ｂを含む。図１Ｂの媒体１０２ＢはＰＣＢである。レイアウト１００Ａと同様に、第１の差動信号ペア及び第２の差動信号ペアの重心をつなぐ線１１４及び１１６は、概して相互に平行である。レイアウト１００Ａとは対照的に、第１の差動信号線のペア１０４Ａ−Ｂ、及び第２の差動信号線のペア１０８Ａ−Ｂは、グランド線１１２Ａ−Ｂにより分離される。レイアウト１００Ｂの差動信号ペアは、レイアウト１００Ａの差動信号ペアより比較的少ないクロストークを含むかもしれない。レイアウト１００Ａ−Ｂの差動信号線のペアは、隣接し、直接的に隣り合っており、そして相互に平行である。
【００１５】
図２は、一例としてコンポーネントレイアウト２００の一実施例の透視図を例示する。例示されたレイアウト２００は、媒体２０２、第１の差動信号線のペア２０４Ａと２０４Ｂ、及び第２の差動信号線のペア２０８Ａと２０８Ｂを含む。第１の差動信号線のペアは、線２０４Ａ、及び線２０４Ａに隣接する（例えば、最も近いか、又は最も隣接する）線２０４Ｂを含む。第２の差動信号線のペアは、線２０８Ａ、及び線２０８Ａに隣接する線２０８Ｂを含む。
【００１６】
線２１４は、第１の差動信号線のペア２０４Ａ−Ｂの重心の間の方向性を示すとともに、線２１６は、第２の差動信号線のペア２０８Ａ−Ｂの重心の間の方向性を示す。アウトライン２０６は、信号線２０４Ａ−Ｂが差動信号線のペアであることを示すとともに、アウトライン２１０は、信号線２０８Ａ−Ｂが差動信号線のペアであることを示す。
【００１７】
第１の差動信号線のペア２０４Ａ−Ｂは、第２の差動信号線のペア２０８Ａ−Ｂに概して垂直に方向付けられる（すなわち、線２１４は線２１６に概して垂直である）。第１の差動信号線のペア２０４Ａ−Ｂは、線２１４が線２１６のほぼ中間点で線２１６を横切るように方向付けられる（すなわち、第１の差動信号線のペア２０４Ａ−Ｂは、差動信号線２０８Ａ−Ｂの間のほぼ中間にある軸に沿って位置付けられる）。レイアウト２００は、レイアウト１００Ａ及び１００Ｂのような他のレイアウトの差動信号ペアのペア間のクロストークと比べると、削減されたクロストークを含むかもしれない。
【００１８】
図３は、一例として別のコンポーネントレイアウト３００の別の実施例の透視図を例示する。例示されたレイアウト３００は、媒体３０２を含む。媒体３０２は、ＰＣＢ、ダイ（例えば、パッケージ）、又は、他の電気若しくは電子回路媒体であり得る。例示されたレイアウト３００は、第１の差動信号線のペア３０４Ａと３０４Ｂ、第２の差動信号線のペア３０８Ａと３０８Ｂ、第３の差動信号線のペア３０８Ｃと３０８Ｄ、第４の差動信号線のペア３０４Ｃと３０４Ｄ、第５の差動信号線のペア３０４Ｅと３０４Ｆ、及び第６の差動信号線のペア３０８Ｅと３０８Ｆを含む。レイアウト３００は、複数のグランド信号線３１２Ａ、３１２Ｂ、３１２Ｃ、及び３１２Ｄを含む。
【００１９】
信号線３０４Ａ及び信号線３０４Ｂは、相互に隣接するとともに、線３１４Ａに沿って相互に分離される。線３１４Ａは、第１の差動信号線のペアの信号線３０４Ａ−Ｂの重心をつなぐ。同様に、信号線３０４Ｃ及び信号線３０４Ｄは、相互に隣接するとともに、線３１４Ｂに沿って相互に分離される。線３１４Ｂは、第４の差動信号線のペアの信号線３０４Ｃ−Ｄの重心をつなぐ。信号線３０４Ｅ及び信号線３０４Ｆは、相互に隣接するとともに、線３１４Ｃに沿って相互に分離される。線３１４Ｃは、第５の差動信号線のペアの信号線３０４Ｅ−Ｆの重心をつなぐ。例示された線３１４Ｃは、線３１４Ａと同一の広がりを有する。
【００２０】
信号線３０８Ａ及び信号線３０８Ｂは、相互に隣接するとともに、線３１６Ａに沿って相互に分離される。線３１６Ａは、第２の差動信号線のペアの信号線３０８Ａ−Ｂの重心をつなぐ。同様に、信号線３０８Ｃ及び信号線３０８Ｄは、相互に隣接するとともに、線３１６Ｂに沿って相互に分離される。線３１６Ｂは、第３の差動信号線のペアの信号線３０８Ｃ−Ｄの重心をつなぐ。信号線３０８Ｅ及び信号線３０８Ｆは、相互に隣接するとともに、線３１６Ｃに沿って相互に分離される。線３１６Ｃは、第６の差動信号線のペアの信号線３０８Ｅ−Ｆの重心をつなぐ。
【００２１】
第１の差動信号線のペア３０４Ａ−Ｂは、第２、第３、及び第６の差動信号線のペア３０８Ａ−Ｂ、３０８Ｃ−Ｄ、及び３０８Ｅ−Ｆに概して垂直に方向付けられる（すなわち、線３１４Ａは、線３１６Ａ、３１６Ｂ、及び３１６Ｃに概して垂直である）。同様に、第４の差動信号線のペア３０４Ｃ−Ｄ、及び第５の差動信号線のペア３０４Ｅ−Ｆは、第２、第３、及び第６の差動信号線のペア３０８Ａ−Ｂ、３０８Ｃ−Ｄ、及び３０８Ｅ−Ｆに概して垂直に方向付けられる（すなわち、線３１４Ｂ及び３１４Ｃは、線３１６Ａ、３１６Ｂ、及び３１６Ｃに概して垂直である）。
【００２２】
第２の差動信号線のペア３０８Ａ−Ｂは、第１、第４、及び第５の差動信号線のペア３０４Ａ−Ｂ、３０４Ｃ−Ｄ、及び３０４Ｅ−Ｆに概して垂直に方向付けられる（すなわち、線３１６Ａは、線３１４Ａ、３１４Ｂ、及び３１４Ｃに概して垂直である）。同様に、第３の差動信号線のペア３０８Ｃ−Ｄ、及び第６の差動信号線のペア３０８Ｅ−Ｆは、第１、第４、及び第５の差動信号線のペア３０４Ａ−Ｂ、３０４Ｃ−Ｄ、及び３０４Ｅ−Ｆに概して垂直に方向付けられる（すなわち、線３１６Ｂ及び３１６Ｃは、線３１４Ａ、３１４Ｂ、及び３１４Ｃに概して垂直である）。
【００２３】
差動信号線のペア３０４Ａ−Ｂ、３０４Ｃ−Ｄ、３０４Ｅ−Ｆ、３０８Ａ−Ｂ、３０８Ｃ−Ｄ、及び３０８Ｅ−Ｆは、それぞれの差動信号線のペア３０４Ａ−Ｂ、３０４Ｃ−Ｄ、３０４Ｅ−Ｆ、３０８Ａ−Ｂ、３０８Ｃ−Ｄ、及び３０８Ｅ−Ｆに隣接する別の差動信号線のペアがそれぞれの差動信号線のペア３０４Ａ−Ｂ、３０４Ｃ−Ｄ、３０４Ｅ−Ｆ、３０８Ａ−Ｂ、３０８Ｃ−Ｄ、及び３０８Ｅ−Ｆに概して垂直に方向付けられるように位置付けられ得る。図３において、第２の差動信号線のペア３０８Ａ−Ｂ、及び第３の差動信号線のペア３０８Ｃ−Ｄは、第１の差動信号線のペア３０４Ａ−Ｂに隣接することができ（すなわち、線３１４Ａの中心と線３１６Ａの中心との間の距離、及び線３１４Ａの中心と線３１６Ｂの中心との間の距離により判定されるように、第１の差動信号線のペアに近い）、第３の差動信号線のペア３０８Ｃ−Ｄは、第１の差動信号線のペア３０４Ａ−Ｂ、第４の差動信号線のペア３０４Ｃ−Ｄ、及び第５の差動信号線のペア３０４Ｅ−Ｆに隣接することができる、などのようになる。
【００２４】
差動信号線のペア３０４Ａ−Ｂ、３０４Ｃ−Ｄ、３０４Ｅ−Ｆ、３０８Ａ−Ｂ、３０８Ｃ−Ｄ、及び３０８Ｅ−Ｆは、それぞれの差動信号線のペア３０４Ａ−Ｂ、３０４Ｃ−Ｄ、３０４Ｅ−Ｆ、３０８Ａ−Ｂ、３０８Ｃ−Ｄ、及び３０８Ｅ−Ｆに直接的に隣り合う別の差動信号線のペアがそれぞれの差動信号線のペア３０４Ａ−Ｂ、３０４Ｃ−Ｄ、３０４Ｅ−Ｆ、３０８Ａ−Ｂ、３０８Ｃ−Ｄ、及び３０８Ｅ−Ｆに垂直に方向付けられるように位置付けられ得る。図３において、第２の差動信号線のペア３０８Ａ−Ｂ、及び第３の差動信号線のペア３０８Ｃ−Ｄは、第１の差動信号線のペア３０４Ａ−Ｂに直接的に隣り合うことができ（すなわち、線３１４Ａの中心と線３１６Ａの中心との間の距離、及び線３１４Ａの中心と線３１６Ｂの中心との間の距離により判定されるように、第１の差動信号線のペアに近い）、第３の差動信号線のペア３０８Ｃ−Ｄは、第１の差動信号線のペア３０４Ａ−Ｂ、第４の差動信号線のペア３０４Ｃ−Ｄ、及び第５の差動信号線のペア３０４Ｅ−Ｆに直接的に隣り合うことができる、などのようになる。
【００２５】
差動信号線のペア３０４Ａ−Ｂ、３０４Ｃ−Ｄ、３０４Ｅ−Ｆ、３０８Ａ−Ｂ、３０８Ｃ−Ｄ、及び３０８Ｅ−Ｆは、差動信号線のペアの重心をつなぐ線の中間点の指定された範囲（radius：半径）内に最大で４組の差動信号ペアが存在するとともに、範囲内の差動信号線のペアが差動信号線のペア３０４Ａ−Ｂ、３０４Ｃ−Ｄ、３０４Ｅ−Ｆ、３０８Ａ−Ｂ、３０８Ｃ−Ｄ、及び３０８Ｅ−Ｆに概して垂直に方向付けられるように位置付けられ得る。４組の差動信号線のペアのうちの２組は、重心をつなぐ線のいずれかの端に位置付けられ得るとともに、４組の差動信号線のペアのうちの他の２組は、重心をつなぐ線の中間点のいずれかの側に位置付けられ得る。それぞれの差動信号線のペアに隣接する（例えば、最も隣接する）か、又はそれぞれの差動信号線のペアに直接的に隣り合う、範囲内の差動信号線のペアは、相互に平行に方向付けられる。
【００２６】
差動信号線のペアのこれらの構成は、概して相互に平行に方向付けられる差動信号線のペアの間に十分な空間を提供することができ、したがって、それらの間のクロストークは、低いか、ごくわずかであるか、又はゼロに近い。差動信号線のペアのこれらの構成は、相互の指定された範囲内（例えば、その範囲が差動信号線のペアの重心をつなぐ線の中間点から測定される場合）の隣接する差動信号線、直接的に隣り合う差動信号線、又は差動信号線のペアを概して相互に垂直に方向付けることにより、差動信号線のペアの間の削減されたクロストークを提供し得る。クロストークの削減は、任意のチャネル又は信号線のための帯域幅を増加し得る。ここで論じられた１つ又は複数の実施例は、同様に、例えばパッケージ又はＰＣＢのサイズを削減することを助けるように、空間を節約し得る。
【００２７】
図４は、一例としてコンポーネントレイアウト４００の別の実施例の透視図を例示する。図４の差動信号線のペアは、図３の差動信号線のペアに関して論じられたのと同じ方法で、相互と比較して方向付けられ得る。レイアウト４００は、媒体４０２、並びに、媒体４０２上に／内に配置される複数の差動信号線のペア４０４Ａと４０４Ｂ、４０４Ｃと４０４Ｄ、４０４Ｅと４０４Ｆ、４０４Ｇと４０４Ｈ、４０８Ａと４０８Ｂ、４０８Ｃと４０８Ｄ、４０８Ｅと４０８Ｆ、及び４０８Ｇと４０８Ｈを含み得る。例示されたレイアウト４００は、複数の電気的接続４１８Ａ、４１８Ｂ、４１８Ｃ、４１８Ｄ、４１８Ｅ、４１８Ｆ、４１８Ｇ、４１８Ｈ、４１８Ｉ、及び４１８Ｊを含む。例示されたレイアウト４００は、アウトライン４０６Ａ、４０６Ｂ、４０６Ｃ、４０６Ｄ、４１０Ａ、４１０Ｂ、４１０Ｃ、及び４１０Ｄを含む。
【００２８】
媒体４０２は、媒体４０２上に／内に配置されるべき、導電材料及び／又は記述的材料のサイズ、形状、並びに場所を指定する。媒体４０２は、媒体３０２と同様であり得る。媒体４０２は、ＰＣＢ、ダイ、又は、他の電気若しくは電子部品媒体であり得る。図４において示された実例において、媒体４０２は、ダイのピン配列を含むＰＣＢレイアウトである。記述的材料は、テキスト、アウトライン、又は他の材料を含み得る。とりわけ、記述的材料は、コンポーネント、レイアウト選択、アセンブリ命令を説明するのに役立ち得るか、又は差動信号ペアを指定するのに役立ち得る。例示された実施例４００において、記述的材料は、それぞれの線４０４Ａと４０４Ｂ、４０４Ｃと４０４Ｄ、４０４Ｅと４０４Ｆ、４０４Ｇと４０４Ｈ、４０８Ａと４０８Ｂ、４０８Ｃと４０８Ｄ、４０８Ｅと４０８Ｆ、及び４０８Ｇと４０８Ｈが差動信号線のペアであることを示すアウトライン４０６Ａ−Ｄ（４０６Ａ乃至４０６Ｄ）、及び４１０Ａ−Ｄ（４１０Ａ乃至４１０Ｄ）を含む。信号線４１２Ａ、４１２Ｂ、４１２Ｃ、及び４１２Ｄは、グランド線（すなわち、例えばグランドプレーン又は他のグランド接続などを通してグランドとして指定された基準ポテンシャルに電気的に接続される線）である。
【００２９】
差動信号線４０８Ａ及び４０８Ｂは、差動信号線４０８Ｃ及び４０８Ｄを反映（mirror）する。差動信号線４０８Ａ及び４０８Ｂはビアであることができ、一方差動信号線４０８Ｃ及び４０８Ｄはダイのためのはんだパッドであり、又は、逆の場合も同様である。同じ信号が接続４１８Ａを通して信号線４０８Ｃ及び４０８Ａを通じて伝わっているので、線の間のクロストークは懸案事項（concern）ではない。
【００３０】
線４１６Ａは、信号線４０８Ａ−Ｂ（４０８Ａ乃至４０８Ｂ）の重心がある軸を示すとともに、同様に、線４１６Ｂ、４１６Ｃ、及び４１６Ｄは、それぞれ、信号線４０８Ｃと４０８Ｄ、４０８Ｅと４０８Ｆ、及び４０８Ｇと４０８Ｈの重心がある軸を示す。線４１４Ａは、信号線４０４Ａと４０４Ｂの重心がある軸を示すとともに、同様に、線４１４Ｂ、４１４Ｃ、及び４１４Ｄは、それぞれ、信号線４０４Ｃと４０４Ｄ、４０４Ｅと４０４Ｆ、及び４０４Ｇと４０４Ｈの重心がある軸を示す。線４１６Ａ、４１６Ｂ、４１６Ｃ、及び４１６Ｄは、概して相互に平行であり得るとともに、線４１４Ａ、４１４Ｂ、４１４Ｃ、及び４１４Ｄに概して垂直であり得る。
【００３１】
信号線４１２Ａ、４１２Ｂ、４１２Ｃ、及び４１２Ｄは、グランド信号線である。信号線４１２Ｂは、接続４１８Ｊを通して信号線４１２Ａに電気的に接続されているとともに、信号線４１２Ｃは、接続４１８Ｉを通して信号線４１２Ｄに電気的に接続されている。
【００３２】
それぞれ、信号線４０８Ｃ、４０８Ｄ、４０４Ａ、４０４Ｂ、４０４Ｅ、４０４Ｆ、４０８Ｇ、４０８Ｈ、４１２Ｂ、及び４１２Ｃは、ビア又はパッドであることができ、一方、信号線４０８Ａ、４０８Ｂ、４０４Ｃ、４０４Ｄ、４０４Ｇ、４０４Ｈ、４０８Ｅ、４０８Ｆ、４１２Ａ、及び４１２Ｂは、パッド又はビアであることができる。信号線４０８Ａ、４０８Ｂ、４０４Ｃ、４０４Ｄ、４０４Ｇ、４０４Ｈ、４０８Ｅ、４０８Ｆ、４１２Ａ、及び４１２Ｂは、それぞれ、信号線４０８Ｃ、４０８Ｄ、４０４Ａ、４０４Ｂ、４０４Ｅ、４０４Ｆ、４０８Ｇ、４０８Ｈ、４１２Ｂ、及び４１２Ｃを“反映（mirror）”し得るとともに、信号線４０８Ｃ、４０８Ｄ、４０４Ａ、４０４Ｂ、４０４Ｅ、４０４Ｆ、４０８Ｇ、４０８Ｈ、４１２Ｂ、及び４１２Ｃに電気的に接続され得る。
【００３３】
図５は、一例としてコンポーネントレイアウト５００の別の実施例の透視図を例示する。レイアウト５００はレイアウト３００と同様であり、レイアウト５００は、信号線５０４Ａ、５０４Ｂ、５０８Ａ、５０８Ｂ、５０８Ｃ、５０８Ｄ、５０４Ｃ、５０４Ｄ、５０８Ｅ、５０８Ｆ、５０４Ｅ、及び５０４Ｆにそれぞれ接続される電気的接続５１８Ａ、５１８Ｂ、５１８Ｃ、５１８Ｄ、５１８Ｅ、５１８Ｆ、５１８Ｇ、５１８Ｈ、５１８Ｉ、５１８Ｊ、５１８Ｋ、及び５１８Ｌを含む。
【００３４】
例示されたレイアウト５００は、媒体５０２を含む。媒体５０２は、ＰＣＢ、ダイ（例えば、パッケージ）、又は、他の電気若しくは電子回路媒体であり得る。例示されたレイアウト５００は、第１の差動信号線のペア５０４Ａと５０４Ｂ、第２の差動信号線のペア５０８Ａと５０８Ｂ、第３の差動信号線のペア５０８Ｃと５０８Ｄ、第４の差動信号線のペア５０４Ｃと５０４Ｄ、第５の差動信号線のペア５０４Ｅと５０４Ｆ、及び第６の差動信号線のペア５０８Ｅと５０８Ｆを含む。レイアウト５００は、複数のグランド信号線５１２Ａ、５１２Ｂ、５１２Ｃ、及び５１２Ｄを含む。
【００３５】
信号線５０４Ａ及び信号線５０４Ｂは、相互に隣接するとともに、線５１４Ａに沿って相互に分離される。線５１４Ａは、第１の差動信号線のペアの信号線５０４Ａ−Ｂの重心をつなぐ。同様に、信号線５０４Ｃ及び信号線５０４Ｄは、相互に隣接するとともに、線５１４Ｂに沿って相互に分離される。線５１４Ｂは、第４の差動信号線のペアの信号線５０４Ｃ−Ｄの重心をつなぐ。信号線５０４Ｅ及び信号線５０４Ｆは、相互に隣接するとともに、線５１４Ｃに沿って相互に分離される。線５１４Ｃは、第５の差動信号線のペアの信号線５０４Ｅ−Ｆの重心をつなぐ。
【００３６】
信号線５０８Ａ及び信号線５０８Ｂは、相互に隣接するとともに、線５１６Ａに沿って相互に分離される。線５１６Ａは、第２の差動信号線のペアの信号線５０８Ａ−Ｂの重心をつなぐ。同様に、信号線５０８Ｃ及び信号線５０８Ｄは、相互に隣接するとともに、線５１６Ｂに沿って相互に分離される。線５１６Ｂは、第３の差動信号線のペアの信号線５０８Ｃ−Ｄの重心をつなぐ。信号線５０８Ｅ及び信号線５０８Ｆは、相互に隣接するとともに、線５１６Ｃに沿って相互に分離される。線５１６Ｃは、第６の差動信号線のペアの信号線５０８Ｅ−Ｆの重心をつなぐ。
【００３７】
第１の差動信号線のペア５０４Ａ−Ｂは、第２、第３、及び第６の差動信号線のペア５０８Ａ−Ｂ、５０８Ｃ−Ｄ、及び５０８Ｅ−Ｆに概して垂直に方向付けられる（すなわち、線５１４Ａは、線５１６Ａ、５１６Ｂ、及び５１６Ｃに概して垂直である）。同様に、第４の差動信号線のペア５０４Ｃ−Ｄ、及び第５の差動信号線のペア５０４Ｅ−Ｆは、第２、第３、及び第６の差動信号線のペア５０８Ａ−Ｂ、５０８Ｃ−Ｄ、及び５０８Ｅ−Ｆに垂直に方向付けられる（すなわち、線５１４Ｂ及び５１４Ｃは、線５１６Ａ、５１６Ｂ、及び５１６Ｃに概して垂直である）。
【００３８】
第２の差動信号線のペア５０８Ａ−Ｂは、第１、第４、及び第５の差動信号線のペア５０４Ａ−Ｂ、５０４Ｃ−Ｄ、及び５０４Ｅ−Ｆに概して垂直に方向付けられる（すなわち、線５１６Ａは、線５１４Ａ、５１４Ｂ、及び５１４Ｃに概して垂直である）。同様に、第３の差動信号線のペア５０８Ｃ−Ｄ、及び第６の差動信号線のペア５０８Ｅ−Ｆは、第１、第４、及び第５の差動信号線のペア５０４Ａ−Ｂ、５０４Ｃ−Ｄ、及び５０４Ｅ−Ｆに垂直に方向付けられる（すなわち、線５１６Ｂ及び５１６Ｃは、線５１４Ａ、５１４Ｂ、及び５１４Ｃに概して垂直である）。
【００３９】
差動信号線のペア５０４Ａ−Ｂ、５０４Ｃ−Ｄ、５０４Ｅ−Ｆ、５０８Ａ−Ｂ、５０８Ｃ−Ｄ、及び５０８Ｅ−Ｆは、それぞれの差動信号線のペア５０４Ａ−Ｂ、５０４Ｃ−Ｄ、５０４Ｅ−Ｆ、５０８Ａ−Ｂ、５０８Ｃ−Ｄ、及び５０８Ｅ−Ｆに隣接する別の差動信号線のペアがそれぞれの差動信号線のペア５０４Ａ−Ｂ、５０４Ｃ−Ｄ、５０４Ｅ−Ｆ、５０８Ａ−Ｂ、５０８Ｃ−Ｄ、及び５０８Ｅ−Ｆに垂直に方向付けられるように位置付けられ得る。図５において、第２の差動信号線のペア５０８Ａ−Ｂ、及び第３の差動信号線のペア５０８Ｃ−Ｄは、第１の差動信号線のペア５０４Ａ−Ｂに隣接することができ（すなわち、線５１４Ａの中心と線５１６Ａの中心との間の距離、及び線５１４Ａの中心と線５１６Ｂの中心との間の距離により判定されるように、第１の差動信号線のペアに近い）、第３の差動信号線のペア５０８Ｃ−Ｄは、第１の差動信号線のペア５０４Ａ−Ｂ、第４の差動信号線のペア５０４Ｃ−Ｄ、及び第５の差動信号線のペア５０４Ｅ−Ｆに隣接することができる、などのようになる。
【００４０】
差動信号線のペア５０４Ａ−Ｂ、５０４Ｃ−Ｄ、５０４Ｅ−Ｆ、５０８Ａ−Ｂ、５０８Ｃ−Ｄ、及び５０８Ｅ−Ｆは、それぞれの差動信号線のペア５０４Ａ−Ｂ、５０４Ｃ−Ｄ、５０４Ｅ−Ｆ、５０８Ａ−Ｂ、５０８Ｃ−Ｄ、及び５０８Ｅ−Ｆに直接的に隣り合う別の差動信号線のペアがそれぞれの差動信号線のペア５０４Ａ−Ｂ、５０４Ｃ−Ｄ、５０４Ｅ−Ｆ、５０８Ａ−Ｂ、５０８Ｃ−Ｄ、及び５０８Ｅ−Ｆに垂直に方向付けられるように位置付けられ得る。図５において、第２の差動信号線のペア５０８Ａ−Ｂ、及び第３の差動信号線のペア５０８Ｃ−Ｄは、第１の差動信号線のペア５０４Ａ−Ｂに直接的に隣り合うことができ（すなわち、線５１４Ａの中心と線５１６Ａの中心との間の距離、及び線５１４Ａの中心と線５１６Ｂの中心との間の距離により判定されるように、第１の差動信号線のペアに近い）、第３の差動信号線のペア５０８Ｃ−Ｄは、第１の差動信号線のペア５０４Ａ−Ｂ、第４の差動信号線のペア５０４Ｃ−Ｄ、及び第５の差動信号線のペア５０４Ｅ−Ｆに直接的に隣り合うことができる、などのようになる。
【００４１】
差動信号線のペア５０４Ａ−Ｂ、５０４Ｃ−Ｄ、５０４Ｅ−Ｆ、５０８Ａ−Ｂ、５０８Ｃ−Ｄ、及び５０８Ｅ−Ｆは、差動信号線のペアの重心をつなぐ線の中間点の指定された範囲内に最大で４組の差動信号ペアが存在するとともに、範囲内の差動信号線のペアが差動信号線のペア５０４Ａ−Ｂ、５０４Ｃ−Ｄ、５０４Ｅ−Ｆ、５０８Ａ−Ｂ、５０８Ｃ−Ｄ、及び５０８Ｅ−Ｆに概して垂直に方向付けられるように位置付けられ得る。４組の差動信号線のペアのうちの２組は、重心をつなぐ線のいずれかの端に位置付けられ得るとともに、４組の差動信号線のペアのうちの他の２組は、重心をつなぐ線の中間点のいずれかの側に位置付けられ得る。それぞれの差動信号線のペアに隣接する（例えば、最も隣接する）か、又はそれぞれの差動信号線のペアに直接的に隣り合う、範囲内の差動信号線のペアは、相互に平行に方向付けられる。
【００４２】
コンポーネントレイアウト２００、３００、４００、又は５００は、ＰＣＢ、ダイ（例えば、パッケージ）、半導体基板、又は、他の電気若しくは電子部品媒体のような装置に実装され得る。コンポーネントレイアウト２００、３００、４００、又は５００は、経路決定プログラム、レイアウトプログラム、又は他のプログラムのようなコンピュータプログラムを用いて作成され得る。媒体は、ピングリッドアレイ（ＰＧＡ）、ＢＧＡパッケージ、ランドグリッドアレイ（ＬＧＡ）パッケージ、デュアルインラインパッケージ（ＤＩＰ）、リードレスチップキャリア（ＬＣＣ）、クワッドフラットパック（ＱＦＰ）、薄型スモールアウトラインパッケージ（ＴＳＯＰ）、システムインパッケージ（ＳＩＰ）、マルチチップモジュール（ＭＣＭ）、システムオンチップ（ＳｏＣ）、又は他のパッケージ構造を含む。
【００４３】
相互に“隣接する”２つの信号線は、相互に隣接する信号線に対して、他の信号線がより近くないことを意味する。例えば、もし信号線がビアであるならば、他のビアは、相互に隣接するビアより、いずれのビアにもより近くない。
【００４４】
図６は、一例として様々なコンポーネントレイアウト１００Ａ、１００Ｂ、及び２００に対する雑音対周波数のグラフ６００を例示する。グラフ６００は、様々なレイアウト１００Ａ、１００Ｂ、及び２００において雑音（クロストーク）をシミュレートすることにより生成された。グラフ６００は、レイアウト２００の場合のデシベルにおける騒音レベルが（シミュレートされた）３０ギガヘルツまでの全ての周波数に対してより低い、ということを示す。
【００４５】
図７は、一例として方法の一実施例のフローチャートを例示する。例示された方法７００は、下記の、動作７０２において、媒体上に又は少なくとも部分的に媒体内に、第１の差動信号線のペアを位置付けることと、動作７０４において、媒体上に又は少なくとも部分的に媒体内に、第２の差動信号線のペアを、第２の差動信号線のペアが第１の差動信号線のペアに対して垂直に方向付けられるように位置付けることとを含む。第１の差動信号線のペアは、第２の信号線に隣接する第１の信号線を含み得る。第１の信号線及び第２の信号線は、第１の線に沿って相互から分離される。第２の差動信号線のペアは、第４の信号線に隣接する第３の信号線を含み得る。第３の信号線及び第４の信号線は、第１の線に概して垂直である第２の線に沿って相互から分離される。
【００４６】
方法７００は、媒体上に又は少なくとも部分的に媒体内に、第６の信号線に隣接する第５の信号線を含む第３の差動信号線のペアを位置付けることを含むことができ、第５の信号線及び第６の信号線は、第１の線に概して平行であるとともに第２の線に概して垂直である第３の線に沿って相互から分離される。方法７００は、媒体上に又は少なくとも部分的に媒体内に、第８の信号線に隣接する第７の信号線を含む第４の差動信号線のペアを位置付けることを含むことができ、第７の信号線及び第８の信号線は、第１の線に概して垂直であり、第２の線に概して平行であるとともに、第３の線に概して垂直である第４の線に沿って相互から分離される。方法７００は、媒体上に又は少なくとも部分的に媒体内に、第５の信号線及び第６の信号線を含む第３の差動信号線のペアを位置付けることを含むことができ、第５の信号線及び第６の信号線は、第１の線に平行である線に沿って相互から分離される。方法７００は、第５の信号線を第１の信号線に電気的に結合すること、及び第６の信号線を第２の信号線に電気的に結合することを含み得る。
【００４７】
「実例、及び注意事項」
本主題は、いくつかの実例として説明され得る。
【００４８】
実例１は、例えば、第１の信号線、及び上記第１の信号線に隣接する第２の信号線を含むとともに、上記第１の信号線及び上記第２の信号線が、第１の線に沿って相互から分離される第１の差動信号線のペアと、第４の信号線に隣接する第３の信号線を含むとともに、上記第３の信号線及び上記第４の信号線が、上記第１の線に概して垂直である第２の線に沿って相互から分離される第２の差動信号線のペアとを含み得るか若しくは使用し得るような主題（例えば、動作を実行するための装置、方法、手段、又は、装置により実行される場合に装置に動作を実行させ得る命令を含む装置読み取り可能なメモリなど）を含み得るか又は使用し得る。
【００４９】
実例２は、上記第１の線が、上記第１の信号線と上記第２の信号線の重心をつなぐとともに、上記第３の信号線と上記第４の信号線との間で上記第２の線を横切ることを含むか又は使用するように、実例１の主題を含み得るか若しくは使用し得るか、又は、任意に実例１の主題と結合され得る。
【００５０】
実例３は、第６の信号線に隣接する第５の信号線を含むとともに、上記第５の信号線及び上記第６の信号線が、上記第１の線に概して平行であるとともに上記第２の線に概して垂直である第３の線に沿って相互から分離される第３の差動信号線のペアを含むか又は使用するように、実例１若しくは実例２のうちの少なくとも１つの主題を含み得るか若しくは使用し得るか、又は、任意に実例１若しくは実例２のうちの少なくとも１つの主題と結合され得る。
【００５１】
実例４は、上記第２の線が、上記第３の信号線と上記第４の信号線の重心をつなぐとともに、上記第５の信号線と上記第６の信号線との間で上記第３の線を横切ることを含むか又は使用するように、実例３の主題を含み得るか若しくは使用し得るか、又は、任意に実例３の主題と結合され得る。
【００５２】
実例５は、第８の信号線に隣接する第７の信号線を含むとともに、上記第７の信号線及び上記第８の信号線が、上記第１の線に概して垂直であり、上記第２の線に概して平行であるとともに、上記第３の線に概して垂直である第４の線に沿って相互から分離される第４の差動信号線のペアを含むか又は使用するように、実例３若しくは実例４のうちの少なくとも１つの主題を含み得るか若しくは使用し得るか、又は、任意に実例３若しくは実例４のうちの少なくとも１つの主題と結合され得る。
【００５３】
実例６は、上記第４の線が、上記第７の信号線と上記第８の信号線の重心をつなぐとともに、上記第１の信号線と上記第２の信号線との間で上記第１の線を横切ることを含むか又は使用するように、実例５の主題を含み得るか若しくは使用し得るか、又は、任意に実例５の主題と結合され得る。
【００５４】
実例７は、上記第１の差動信号線のペア、上記第２の差動信号線のペア、上記第３の差動信号線のペア、及び上記第４の差動信号線のペアの間の領域に位置付けられる１つ又は複数のグランド信号線を含むか又は使用するように、実例５若しくは実例６のうちの少なくとも１つの主題を含み得るか若しくは使用し得るか、又は、任意に実例５若しくは実例６のうちの少なくとも１つの主題と結合され得る。
【００５５】
実例８は、当該装置がメモリ装置を含むことを含むか又は使用するように、実例１から実例７のうちの少なくとも１つの主題を含み得るか若しくは使用し得るか、又は、任意に実例１から実例７のうちの少なくとも１つの主題と結合され得る。
【００５６】
実例９は、上記第１の差動信号線のペアと上記第２の差動信号線のペアが、ボールグリッドアレイ（ＢＧＡ）のピン配列パターンで形成されることを含むか又は使用するように、実例１から実例８のうちの少なくとも１つの主題を含み得るか若しくは使用し得るか、又は、任意に実例１から実例８のうちの少なくとも１つの主題と結合され得る。
【００５７】
実例１０は、上記第１の信号線に電気的に結合される第５の信号線、及び上記第２の信号線に電気的に結合される第６の信号線を含むとともに、上記第５の信号線及び上記第６の信号線が、上記第１の線に平行である線に沿って相互から分離される第３の差動信号線のペアを含むか又は使用するように、実例１若しくは実例２のうちの少なくとも１つの主題を含み得るか若しくは使用し得るか、又は、任意に実例１若しくは実例２のうちの少なくとも１つの主題と結合され得る。
【００５８】
実例１１は、上記第１の差動信号線のペアが、第１及び第２のビアであることを含むか又は使用するように、実例１から実例１０のうちの少なくとも１つの主題を含み得るか若しくは使用し得るか、又は、任意に実例１から実例１０のうちの少なくとも１つの主題と結合され得る。
【００５９】
実例１２は、上記第１の差動信号線のペアが、第１及び第２のはんだパッドであることを含むか又は使用するように、実例１から実例１０のうちの少なくとも１つの主題を含み得るか若しくは使用し得るか、又は、任意に実例１から実例１０のうちの少なくとも１つの主題と結合され得る。
【００６０】
実例１３は、例えば、第１の複数の差動信号はんだパッドのペアであって、上記第１の複数の差動信号はんだパッドのうちの各差動信号はんだパッドのペアが第１のパッドと第２のパッドの重心をつなぐそれぞれの線に沿って上記第２のパッドから分離される上記第１のパッドを含み、上記第１の複数の差動信号はんだパッドのペアの上記線が概して相互に平行である、上記第１の複数の差動信号はんだパッドのペアと、第２の複数の差動信号はんだパッドのペアであって、上記第２の複数の差動信号はんだパッドのうちの各差動信号はんだパッドのペアがそれぞれの第３のはんだパッドと第４のはんだパッドの重心をつなぐそれぞれの線に沿って第４のパッドから分離される第３のパッドを含み、上記第２の複数の差動信号はんだパッドのペアの上記線が、概して相互に平行であるとともに、上記第１の複数の差動信号はんだパッドのペアの上記線に概して垂直である、上記第２の複数の差動信号はんだパッドのペアとを備える、ＰＣＢを含み得るか若しくは使用し得るような主題（例えば、動作を実行するための装置、方法、手段、又は、装置により実行される場合に装置に動作を実行させ得る命令を含む装置読み取り可能なメモリなど）を含み得るか又は使用し得る。
【００６１】
実例１４は、第１の複数の差動信号ビアのペアであって、上記第１の複数の差動信号ビアのうちの各差動信号ビアのペアが、上記第１の複数の差動信号はんだパッドのペアのそれぞれの第１のパッドに電気的に連結される第１のビアと、上記第１の複数の差動信号はんだパッドのペアのそれぞれの第２のパッドに電気的に連結される第２のビアとを含み、上記第１のビアが上記第１のビアと上記第２のビアの重心をつなぐそれぞれの線に沿って上記第２のビアから分離され、上記第１の複数の差動信号ビアのペアの上記線が、概して、相互に平行であるとともに、上記第１の複数の差動信号はんだパッドのペアの上記線に平行である、上記第１の複数の差動信号ビアのペアを含むか又は使用するように、実例１３の主題を含み得るか若しくは使用し得るか、又は、任意に実例１３の主題と結合され得る。
【００６２】
実例１５は、第２の複数の差動信号ビアのペアであって、上記第２の複数の差動信号ビアのうちの各差動信号ビアのペアが、上記第２の複数の差動信号はんだパッドのペアのそれぞれの第３のパッドに電気的に連結される第３のビアと、上記第２の複数の差動信号はんだパッドのペアのそれぞれの第４のパッドに電気的に連結される第４のビアとを含み、上記第３のビアが上記第３のビアと上記第４のビアの重心をつなぐそれぞれの線に沿って上記第４のビアから分離され、上記第２の複数の差動信号ビアのペアの上記線が、概して、相互に平行であり、上記第２の複数の差動信号はんだパッドのペアの上記線に平行であるとともに、上記第１の複数の差動信号はんだパッドのペアの上記線に垂直である、上記第２の複数の差動信号ビアのペアを含むか又は使用するように、実例１４の主題を含み得るか若しくは使用し得るか、又は、任意に実例１４の主題と結合され得る。
【００６３】
実例１６は、上記第１の複数の差動信号はんだパッドのペアが当該ＰＣＢの第１の層上にあり、当該ＰＣＢがグランドプレーンを含む第２の層を含むことを含むか又は使用するように、実例１３から実例１５のうちの少なくとも１つの主題を含み得るか若しくは使用し得るか、又は、任意に実例１３から実例１５のうちの少なくとも１つの主題と結合され得る。
【００６４】
実例１７は、例えば、第１のはんだパッド、及び上記第１のはんだパッドに隣接する第２のはんだパッドを含むとともに、上記第１のはんだパッド及び上記第２のはんだパッドが、第１の線に沿って相互から分離される第１の差動信号はんだパッドのペアと、第４のはんだパッドに隣接する第３のはんだパッドを含むとともに、上記第３のはんだパッド及び上記第４のはんだパッドが、上記第１の線に概して垂直である第２の線に沿って相互から分離される第２の差動信号はんだパッドのペアとを含むプリント回路基板（ＰＣＢ）と、上記第１の差動信号はんだパッドのペア及び上記第２の差動信号はんだパッドのペアに電気的に接続される差動信号のピン配列を含むパッケージとを含み得るか若しくは使用し得るような主題（例えば、動作を実行するための装置、方法、手段、又は、装置により実行される場合に装置に動作を実行させ得る命令を含む装置読み取り可能なメモリなど）を含み得るか又は使用し得る。
【００６５】
実例１８は、上記ＰＣＢが、第６のはんだパッドに隣接する第５のはんだパッドを含むとともに、上記第５のはんだパッド及び上記第６のはんだパッドが、上記第１の線に概して平行であるとともに上記第２の線に概して垂直である第３の線に沿って相互から分離される第３の差動信号はんだパッドのペアを更に含み、上記パッケージの上記ピン配列が、上記第３の差動信号はんだパッドのペアに電気的に接続されていることを含むか又は使用するように、実例１７の主題を含み得るか若しくは使用し得るか、又は、任意に実例１７の主題と結合され得る。
【００６６】
実例１９は、上記ＰＣＢが、第８のはんだパッドに隣接する第７のはんだパッドを含むとともに、上記第７のはんだパッド及び上記第８のはんだパッドが、上記第１の線に概して垂直であり、上記第２の線に概して平行であるとともに、上記第３の線に概して垂直である第４の線に沿って相互から分離される第４の差動信号はんだパッドのペアを更に含み、上記パッケージの上記ピン配列が、上記第３の差動信号はんだパッドのペアに電気的に接続されていることを含むか又は使用するように、実例１８の主題を含み得るか若しくは使用し得るか、又は、任意に実例１８の主題と結合され得る。
【００６７】
実例２０は、上記ＰＣＢが、第１のビア及び第２のビアを含むとともに、上記第１のビア及び上記第２のビアが上記第１の線に平行である線に沿って相互から分離され、上記第１のビアが上記第１のはんだパッドに電気的に連結され、上記第２のビアが上記第２のはんだパッドに電気的に連結される、差動信号ビアのペアを更に含むことを含むか又は使用するように、実例１７の主題を含み得るか若しくは使用し得るか、又は、任意に実例１７の主題と結合され得る。
【００６８】
上記の詳細な説明は、詳細な説明の一部を形成する添付図面に対する参照を含む。それらの図面は、実例として、ここで論じられた方法、装置、及びシステムが実施され得る特定の実施例を示す。これらの実施例は、ここでは“実例”として同様に参照される。そのような実例は、示されるか又は説明される要素に加えて、要素を含み得る。しかしながら、本願発明者は、同様に、それらの示されるか又は説明される要素だけが提供される実例を熟考する。さらに、ここで示されるか若しくは説明される特定の実例（又はその１つ若しくは複数の態様）、又は、ここで示されるか若しくは説明される他の実例（又はその１つ若しくは複数の態様）のいずれかに関しては、本願発明者は、同様に、それらの示されるか若しくは説明される要素（又はその１つ若しくは複数の態様）のあらゆる組み合わせ又は並べ替え用いて実例を熟考する。
【００６９】
この文献では、“少なくとも１つ”若しくは“１つ以上”のあらゆる他の事例又は使用法から独立して、特許文献では一般的であるように、１つ又は２つ以上を含むように、用語“ａ”又は“ａｎ”が使用される。この文献では、用語“又は”は非排他的な“又は”を参照するように使用され、したがって、特に他に表示がない限り、“Ａ又はＢ”は、“ＢではないＡ”、“ＡではないＢ”、そして“Ａ及びＢ”を含む。この文献では、用語“含む（including）”及び“それにおいて（in  which）”は、それぞれの用語“備える（comprising）”及び“ここでは（wherein）”のプレインイングリッシュの同等物として使用される。さらに、添付の請求項において、用語“含む（including）”及び“備える（comprising）”は、開放型であり、すなわち、請求項におけるそのような用語のあとにリストされた要素に加えて要素を含むシステム、デバイス、品物、組成物（composition）、調合物（formulation）、又は処理は、まだその請求項の範囲内にあるとみなされる。さらに、添付の請求項において、用語“第１の”、“第２の”、及び“第３の”などは、単に標示のみとして使用され、数値的な要求をそれらの対象物に課すことを意図していない。
【００７０】
ここで使用されるように、“−”（ダッシュ）は、ダッシュにより示される範囲内の全ての要素のうちで、前の段落において論じられた、非排他的な意味において“乃至”を意味する参照符号を参照する場合に使用される。例えば、１０３Ａ−Ｂは、１０３Ａ−１０３Ｂが、“１０３Ｂではない１０３Ａ”、“１０３Ａではない１０３Ｂ”、並びに“１０３Ａ及び１０３Ｂ”を含むように、範囲｛１０３Ａ、１０３Ｂ｝における要素の非排他的な“乃至”を意味する。
【００７１】
上記の説明は、実例となることを意図され、限定的ではない。例えば、上記で説明された実例（又はその１つ若しくは複数の態様）は、お互いに組み合わせて使用され得る。例えば上記の説明を検討する当業者により、他の実施例が使用されることができる。読者が技術的開示の性質を迅速に確かめることを可能にするために、連邦規則法典第３７巻セクション１．７２（ｂ）（37C.F.R.  §1.72(b)）に適合するように、要約が提供される。要約は、要約が請求項の範囲若しくは意味を解釈するか又は限定するために使用されないであろう、という了解のもとに提出される。さらに、上記の詳細な説明において、様々な特徴は、当該開示を合理化するためにグループ分けされ得る。これは、権利請求されない開示された特徴があらゆる請求項に必須であることを意図していると解釈されるべきでない。それどころか、創意に富んだ主題は、特定の開示された実施例の全ての特徴より少ないものであるかもしれない。したがって、添付の請求項は、この結果、各請求項が別個の実施例として独立している状態で、実例又は実施例として詳細な説明に組み込まれるとともに、そのような実施例は様々な組み合わせ又は並べ替えにおいてお互いに結合されることができる、ということが意図される。本発明の範囲は、添付された請求項を参照して、そのような請求項が権利を与えられる等価物の十分な範囲とともに決定されるべきである。
【図１Ａ】
2016115928.tif 000003
【図１Ｂ】
2016115928.tif 000004
【図２】
2016115928.tif 000005
【図３】
2016115928.tif 000006
【図４】
2016115928.tif 000007
【図５】
2016115928.tif 000008
【図６】
2016115928.tif 000009
【図７】
2016115928.tif 000010
【外国語明細書】
2016115928000001.pdf
2016115928000002.pdf
2016115928000003.pdf
2016115928000004.pdf